(57)【要約】判定支援装置（１００）は、空調機器（１０）の吹出口を含む領域を撮像して赤外線画像を取得する赤外線画像取得部（１１０）と、空調機器（１０）と通信を行う通信部（１２０）と、ユーザのデータ入力や撮像スイッチ操作等を受け付ける入力部（１３０）と、画像データ等を表示する表示部（１４０）と、判定支援装置（１００）全体の動作を制御する制御部（１５０）と、各種データ及びプログラム等を記憶する記憶部（１６０）と、を備える。制御部（１５０）の表示制御部（１５４）は、赤外線画像と、赤外線画像から判定された空調機器（１０）の異常の有無と、を表示部（１４０）に表示させる。
2017017791.tif 000002
【特許請求の範囲】
【請求項１】
空調機器の吹出口を含む領域を撮像して赤外線画像を取得する赤外線画像取得手段と、
前記赤外線画像と、前記赤外線画像から判定された前記空調機器の異常の有無と、を表示装置に表示させる表示制御手段と、
を備える、判定支援装置。
【請求項２】
前記赤外線画像から前記空調機器の異常の有無を判定する機器状態判定手段を、さらに備える、請求項１に記載の判定支援装置。
【請求項３】
前記赤外線画像のデータを他の装置へ送信し、前記他の装置が前記空調機器の異常の有無を判定した判定結果を、前記他の装置から受信する通信手段を、さらに備える、請求項１に記載の判定支援装置。
【請求項４】
前記空調機器を前記異常の有無を判定するための運転状態に設定させるための情報である目標情報を含む制御信号を該空調機器に送信する通信手段を、さらに備える、請求項１又は２に記載の判定支援装置。
【請求項５】
前記空調機器の異常の有無は、定期的又は連続的に取得された前記赤外線画像の時間的推移に基づいて判定される、請求項１から４のいずれか１項に記載の判定支援装置。
【請求項６】
前記空調機器の異常の有無は、前記赤外線画像から冷暖風の温度、風力及び風向を導出することにより判定される、請求項１から５のいずれか１項に記載の判定支援装置。
【請求項７】
空調機器の吹出口を含む領域を撮像する撮像ステップと、
前記撮像ステップによって生成された赤外線画像と、前記赤外線画像から判定された前記空調機器の異常の有無と、を表示装置に表示させる表示制御ステップと、
を備える、判定支援方法。
【請求項８】
コンピュータを、
空調機器の吹出口を含む領域を撮像して赤外線画像を取得する赤外線画像取得手段、
前記赤外線画像と、前記赤外線画像から判定された前記空調機器の異常の有無と、を表示装置に表示させる表示制御手段、
として機能させる、プログラム。
【発明の詳細な説明】
【技術分野】
【０００１】
本発明は、判定支援装置、判定支援方法及びプログラムに関する。
【背景技術】
【０００２】
空調機器に異常がないことを確認する保守作業において、作業者は、室内機の吹出口の前方に温度センサを備えるテスタをかざして計測される温度又は自身の体感によって冷風、暖風及び送風等の運転状態を確認するのが一般的である。【０００３】
ところで、近年、携帯端末と空調設備管理装置を連携させて空調制御を行う技術が提案されている。例えば、特許文献１には、携帯装置に内蔵されている温度センサの計測データを空調設備管理装置に送信することによって、実際に居室内にいる人の周囲の温度状況に合わせた空調設備の運転制御を行う空調設備制御装置が開示されている。
【先行技術文献】
【特許文献】
【０００４】
【特許文献１】特開２００４−０２０１３２号公報
【発明の概要】
【発明が解決しようとする課題】
【０００５】
上述のテスタを用いた保守作業では、室内機の風の当たり具合等によって計測される温度に誤差が生じやすい。また、判断基準がセンサ近辺の計測温度だけであるため、風量や風向等の異常を確認することができない。作業者の体感による判断も、定量的な計測ができないため、作業者によって判断にバラツキがあり誤差が大きい。【０００６】
特許文献１の空調制御は、携帯装置の所有者が快適となるように温度制御するものである。そのため、この空調制御は、空調機器の保守作業における異常の有無の確認に利用するものではない。【０００７】
一般に、温度センサには、接触型温度センサと非接触型温度センサがある。特許文献１において、携帯装置に内蔵されている温度センサの種類について具体的に示されていない。しかし、この温度センサは、携帯装置の所有者付近の局所的な温度計測に使用されるため、サーミスタや熱電対等の計測エリアが小さい接触型温度センサであると考えられる。  【０００８】
このような接触型温度センサを備える携帯装置は、局所的な温度計測しかできないため、保守作業における空調機器の冷風、暖風及び送風等（温度制御、風量及び風向等）の異常の有無の確認に利用することはできない。また、一般的なスマートフォン等の携帯端末は必ずしも温度センサを備える構成になっていない。そのため、このような携帯装置は、特殊な仕様の携帯端末に限られ、仕様上の制約が大きい。【０００９】
本発明は、上記課題を解決するためになされたものであり、仕様上の制約が少なく、空調機器の異常の有無を精度よく判定することを支援可能な判定支援装置等を提供することを目的とする。
【課題を解決するための手段】
【００１０】
上記目的を達成するため、本発明に係る判定支援装置は、
空調機器の吹出口を含む領域を撮像して赤外線画像を取得する赤外線画像取得手段と、
前記赤外線画像と、前記赤外線画像から判定された前記空調機器の異常の有無と、を表示装置に表示させる表示制御手段と、
を備える。
【発明の効果】
【００１１】
本発明によれば、一般的な撮像機能を有する携帯端末等にも適用可能であるため、仕様上の制約が少ない。また、空調機器の吹出口周辺の赤外線画像（温度分布）から空調機器の異常の有無を判定することを支援するため、空調機器の異常の有無を精度よく判定することを支援することができる。
【図面の簡単な説明】
【００１２】
【図１】第１実施形態に係る判定支援装置と空調機器の機能ブロック図である。
【図２】表示される赤外線画像の一例を示す図である。
【図３】目標情報、冷暖風解析結果及び機器状態判定結果の一例を示す図である。
【図４】第１実施形態に係る判定支援装置の空調機器制御処理を示すフローチャートである。
【図５】第１実施形態に係る判定支援装置の機器状態判定処理を示すフローチャートである。
【図６】第２実施形態に係る判定支援システムの機能ブロック図である。
【図７】第２実施形態に係る判定支援システムの機器状態判定処理を示すフローチャートである。
【図８】目標情報、冷暖風解析結果及び機器状態判定結果の変形例を示す図である。
【発明を実施するための形態】
【００１３】
（第１実施形態）
以下、本発明の第１実施形態に係る判定支援装置１００について図面を参照しながら詳細に説明する。
【００１４】
判定支援装置１００は、例えば、ユーザ（保守作業者）が携帯可能な通信機能を有する小型の端末装置（スマートフォン）である。ここでは、判定支援装置１００は、空調機器１０の異常の有無の判定に使用される。以下、判定支援装置１００の構成について説明する。
【００１５】
判定支援装置１００は、図１に示すように、赤外線画像を取得する赤外線画像取得部１１０と、空調機器１０と通信を行う通信部１２０と、ユーザのデータ入力や撮像スイッチ操作等を受け付ける入力部１３０と、画像データ等を表示する表示部１４０と、判定支援装置１００全体の動作を制御する制御部１５０と、各種データ及びプログラム等を記憶する記憶部１６０と、を備える。これらの構成部は、バス１７０を介して相互に接続される。
【００１６】
赤外線画像取得部１１０は、例えば、ＣＣＤ（Charge Coupled Device）又はＣＯＭＳ（Complementary Metal Oxide Semiconductor）等を含む赤外線イメージセンサ等から構成される。赤外線画像取得部１１０は、判定対象となる空調機器１０の吹出口を含む領域を撮像して、その領域から放射される赤外線の放射量の分布から二次元座標空間の赤外線画像を取得する。
【００１７】
なお、赤外線画像取得部１１０を空調機器１０の吹出口を含む領域に向けて撮像スイッチを押す等の撮像操作はユーザが行う。赤外線画像取得部１１０は赤外線画像取得手段として機能する。
【００１８】
通信部１２０は、例えば、通信アンテナ、ＲＦ（Radio Frequency）回路、ベースバンド（Base Band)回路等を含んで構成される。通信部１２０は、無線ＬＡＮ（Local Area Network）を介して他の装置（例えば空調機器１０）と通信を行う。通信部１２０は通信手段として機能する。
【００１９】
入力部１３０は、例えば、キーボード、マウス、撮像スイッチ又はタッチパネル等を含んで構成される。入力部１３０は、ユーザのデータ入力や各種操作を受け付ける。
【００２０】
表示部１４０は、例えば、ＬＣＤ（Liquid Crystal Display）、又はＥＬ（Electroluminescence）ディスプレイ等によって構成される。表示部１４０は、入力された画像データに応じて画像を表示する。
【００２１】
制御部１５０は、ＣＰＵ（Central Processing Unit）、ＲＯＭ（Read Only Memory）、ＲＡＭ（Random Access Memory）等を含むプロセッサから構成される。制御部１５０は、判定支援装置１００全体の動作を制御する。
【００２２】
記憶部１６０は、フラッシュメモリ等の読み書き可能な不揮発性の半導体メモリやハードディスクドライブ等から構成される。記憶部１６０は、例えば、冷暖風解析結果１６１、機器状態判定結果１６２、目標情報１６３等の各種データや判定支援装置１００の各部の動作状態を制御するためのプログラム１６４等を記憶する。
【００２３】
ここで、制御部１５０の機能的な構成について詳細に説明する。制御部１５０は、冷暖風の解析をする冷暖風解析部１５１と、空調機器１０の異常の有無を判定する機器状態判定部１５２と、空調機器１０を操作するための制御信号を生成する制御信号生成部１５３と、各種画像を表示部１４０に表示させる制御を行う表示制御部１５４と、を備える。これらの構成部の機能は、制御部１５０が、記憶部１６０に記憶されているプログラム１６４を実行することで実現される。機器状態判定部１５２は機器状態判定手段として機能する。表示制御部１５４は表示制御手段として機能する。
【００２４】
冷暖風解析部１５１は、赤外線画像取得部１１０が取得した赤外線画像から冷暖風の温度、風力及び風向を導出する。例えば、空調機器１０が冷房運転中において、赤外線画像取得部１１０が取得した二次元座標空間の赤外線画像が、図２に示す画像であるとする。
【００２５】
図２の赤外線画像は、赤外線強度の分布（すなわち温度分布）を、モノクロ画像として濃淡で示し、濃度が高い部分ほど低温の領域として示す。そうすると、図２において、図中の右上が最も低温になっていて、左下に行くほど高温に温度が変化している。
【００２６】
この場合、冷暖風解析部１５１は、判定対象となる空調機器１０の吹出口を含む領域Ａ３のうち最も低温になっている点線で囲まれる領域Ａ１を空調機器１０の空調部１２の吹出口として認識する。そのうえで、冷暖風解析部１５１は、領域Ａ１の温度を空調の冷風温度として検出し、領域Ａ１から左下に向かって温度変化している領域Ａ２を解析して、空調の風力と風向を検出する。
【００２７】
例えば、領域Ａ２における温度勾配が図中左下に向かって長く延びていれば、風力が強いと判断される。ここでは、風速０〜１ｍを「弱」、風速１〜３ｍを「中」、風速３〜５ｍを「強」として風力を識別する。なお、風力及び後述の風向の判断基準は、製造業者又はユーザによって予め判定支援装置１００の記憶部１６０に設定され、冷暖風解析部１５１はその基準に基づいて風力及び風向を識別する。
【００２８】
ここでは、領域Ａ２における温度勾配が図中左に水平方向から上下３０度の範囲内にまっすぐ延びていれば、風向を「上向き」と識別する。領域Ａ２における温度勾配が水平方向より下向き３０度〜６０度の範囲内の方向に延びていれば、風向を「正面方向」と判断し、水平方向より下向き６０度以上の範囲内の方向に延びていれば、風向を「下向き」と判断する。なお、空調機器１０が冷房運転ではなく送風運転の場合、冷暖風解析部１５１は、温度勾配が緩やかであることを前提に風力と風向を検出する。
【００２９】
機器状態判定部１５２は、冷暖風解析部１５１によって導出された冷暖風の温度、風力及び風向と、記憶部１６０に記憶された目標情報１６３に含まれる目標温度、目標風力及び目標風向と、を対比して両者の偏差を導出する。機器状態判定部１５２は、導出した偏差に基づいて、空調機器１０の異常の有無を判定する。また、異常があると判定された場合には、異常のあるパラメータ（温度、風力、風向）に応じた異常種別も判定する。
【００３０】
運転状態に異常があるかどうかは、目標情報１６３に対する冷暖風解析結果１６１のずれ（偏差）が許容範囲内であるかどうかを基準として判断する。ここでは、目標温度と計測温度の偏差すなわち温度差が１℃以内であること、目標風力と計測風力が相違しないこと（すなわち「強」、「中」、「弱」のいずれかで一致すること）、目標風向と計測風向が相違しないこと（すなわち「上向き」、「正面方向」、「下向き」のいずれかで一致すること）をそれぞれの許容範囲内とする。
【００３１】
例えば、図３のように目標情報が「目標温度は２６℃、運転モードは冷房、目標風力は中、目標風向は上向き」となっているのに対し、冷暖風解析結果が「計測温度は２８℃、運転モードは冷房、計測風力は弱、計測風向は上向き」となっているとする。この場合、冷房運転であるものの目標温度より計測温度が２℃も高く、目標風力が「中」であるのに対して計測風力が「弱」であるため、両者のずれは許容範囲を逸脱している。
【００３２】
そのため、機器状態判定結果として、空調機器１０の運転状態は「異常」と判定される。また、その異常種別は「不冷、風力不足」と判定される。なお、冷暖風解析部１５１の冷暖風解析結果は冷暖風解析結果１６１として、機器状態判定部１５２の機器状態判定結果は機器状態判定結果１６２として、それぞれ記憶部１６０に記憶される。
【００３３】
制御信号生成部１５３は、ユーザが入力部１３０に入力した設定温度や冷房運転等を含む目標情報１６３に基づいて、制御信号を生成する。制御信号は、目標情報１６３を含む信号であって、空調機器１０を制御するための信号である。表示制御部１５４は、赤外線画像（例えば図２）、若しくは、記憶部１６０に記憶されている冷暖風解析結果１６１、機器状態判定結果１６２又は目標情報１６３等を含む画像（例えば図３）を表示部１４０に表示させる。
【００３４】
次に、保守対象である空調機器１０の構成について説明する。空調機器１０は、厳密には空調室内機であり、不図示の空調室外機に接続される。空調機器１０は、空調機器１０全体の動作を制御する制御部１１と、空調を行う空調部１２と、ユーザの操作を受け付ける入力部１３と、制御に必要なプログラムや設定情報等を記憶する記憶部１４と、他の装置等と通信を行う通信部１５と、画像データ等を表示する表示部１６と、を備える。これらの構成部は、バス１７を介して相互に接続される。
【００３５】
制御部１１は、ＣＰＵ（Central Processing Unit）、ＲＯＭ（Read Only Memory）、ＲＡＭ（Random Access Memory）等を含むプロセッサから構成される。制御部１１は、空調機器１０全体の動作を制御する。
【００３６】
空調部１２は、熱交換器、空調空気を吹出口から室内空間へ送風するためのファン、及び風向を制御するためのフラップ等から構成される。空調部１２は、空調室外機と空調室内機との間で冷媒を循環させることで、外気と室内空間の空気との熱交換を行う。
【００３７】
入力部１３は、例えば、キーボード、タッチパネル又は操作ボタン等を含んで構成される。入力部１３は、ユーザのデータ入力や各種操作を受け付ける。
【００３８】
記憶部１４は、フラッシュメモリ等の読み書き可能な不揮発性の半導体メモリやハードディスクドライブ等から構成される。記憶部１４は、空調機器１０の制御に必要なプログラムやユーザによって設定された設定情報等を記憶する。
【００３９】
通信部１５は、例えば、通信アンテナ、ＲＦ（Radio Frequency）回路、ベースバンド（Base Band)回路等を含んで構成される。通信部１５は、無線ＬＡＮ（Local Area Network）を介して他の装置（例えば判定支援装置１００）と通信を行う。
【００４０】
表示部１６は、例えば、ＬＣＤ（Liquid Crystal Display）、又はＥＬ（Electroluminescence）ディスプレイ等によって構成される。表示部１６は、入力された画像データに応じて画像を表示する。
【００４１】
次に、以上説明した判定支援装置１００の空調機器制御処理について、図４を参照しながら説明する。空調機器１０の異常の有無の判定は、空調機器１０が運転している状態で行われる。そのため、この処理は、空調機器１０の異常の有無を判定する前の準備として空調機器１０を目標情報に基づく運転状態に設定するためのものである。この処理は、ユーザが判定支援装置１００の入力部１３０から目標情報を入力したうえで処理開始を指示することによって開始される。この際、判定支援装置１００は、設定された目標情報を目標情報１６３として記憶部１６０に記憶する。
【００４２】
まず、判定支援装置１００の制御信号生成部１５３は、ユーザによって設定された目標情報１６３から制御信号を生成する（ステップＳ１０１）。
【００４３】
判定支援装置１００の制御部１５０は、生成した制御信号を、通信部１２０を介して空調機器１０へ送信する（ステップＳ１０２）。空調機器１０の通信部１５は、判定支援装置１００からの制御信号を受信する（ステップＳ１０３）。
【００４４】
空調機器１０の制御部１１は、受信した制御信号に基づいて目標情報を設定して運転制御を行う（ステップＳ１０４）。その結果、空調機器１０から冷風、送風又は暖風が室内へ吹き出される（ステップＳ１０５）。このように、判定支援装置１００が空調機器制御処理を完了すると、空調機器１０が目標情報に基づく運転制御を実行するため、機器状態の判定が可能な状態になる。
【００４５】
次に、以上説明した判定支援装置１００の機器状態判定処理について、図５を参照しながら説明する。この処理は、ユーザが空調機器１０の吹出口を含む領域に判定支援装置１００の赤外線画像取得部１１０を向けて、入力部１３０において撮像スイッチを押したことを契機に開始する。
【００４６】
まず、判定支援装置１００の赤外線画像取得部１１０は、空調機器１０の吹出口を含む領域を撮像し、その撮像された領域から放射される赤外線の放射量の分布から二次元座標空間の赤外線画像を取得する（ステップＳ２０１）。この際、判定支援装置１００の表示制御部１５４は、取得された赤外線画像を表示部１４０に表示させる。ユーザは、表示部１４０に表示された赤外線画像を見て、撮像が正常に出来たかどうかを確認できる。また、ユーザ又は制御部１５０は、この赤外線画像から、撮像された領域の温度分布を認識することが可能である。
【００４７】
次に、判定支援装置１００の冷暖風解析部１５１は、上述した冷暖風解析方法によって、赤外線画像取得部１１０が取得した赤外線画像から冷暖風解析結果を導出する（ステップＳ２０２）。この際、判定支援装置１００は、冷暖風解析結果を冷暖風解析結果１６１として記憶部１６０に記憶する。
【００４８】
その後、判定支援装置１００の機器状態判定部１５２は、上記空調機器制御処理の開始時に記憶部１６０記憶しておいた目標情報１６３に含まれる目標温度、目標風力及び目標風向と、を読み出して、冷暖風解析結果１６１に含まれる赤外線画像から導出した温度、風力及び風向との偏差を導出する（ステップＳ２０３）。
【００４９】
判定支援装置１００の機器状態判定部１５２は、導出した偏差が上述した基準に基づく許容範囲を逸脱するパラメータ（すなわち温度、風力、風向のいずれか一つ以上）があるかどうかを判別する（ステップＳ２０４）。
【００５０】
その結果、許容範囲を逸脱するパラメータがある場合（ステップＳ２０４；Ｙｅｓ）、判定支援装置１００の機器状態判定部１５２は空調機器１０の運転状態を「異常」と判定する（ステップＳ２０５）。この場合、判定支援装置１００の機器状態判定部１５２は、許容範囲を逸脱したパラメータが何であるかに基づいて異常種別も併せて判定する。
【００５１】
一方、許容範囲を逸脱するパラメータがない場合（ステップＳ２０４；Ｎｏ）、判定支援装置１００の機器状態判定部１５２は空調機器１０の運転状態を「正常」と判定する（ステップＳ２０６）。この場合、判定支援装置１００の機器状態判定部１５２は、異常種別を「なし」と判定する。
【００５２】
判定支援装置１００は、上記判定した結果である機器状態判定結果を機器状態判定結果１６２として記憶部１６０に記憶する。そのうえで、判定支援装置１００の表示制御部１５４は、記憶部１６０に記憶された冷暖風解析結果１６１、目標情報１６３、機器状態判定結果１６２（例えば図３）を表示部１４０に表示させる（ステップＳ２０７）。
【００５３】
以上説明したように、本実施形態の判定支援装置１００は、赤外線画像取得部１１０によって空調機器１０の吹出口を含む領域を撮像して赤外線画像を取得している。判定支援装置１００の表示制御部１５４は、赤外線画像取得部１１０によって取得された赤外線画像を表示部１４０に表示させている。従来からスマートフォン等の汎用されている通信端末には赤外線受信機能や赤外線カメラ機能等が搭載されている場合が多い。このような通信端末の構成を利用して、判定支援装置１００の上記構成を成すことは、大幅な機能変更を伴うものではない。そのため、仕様上の制約が少ない。
【００５４】
また、本実施形態の判定支援装置１００は、赤外線画像（厳密には、赤外線画像が示す温度分布）に基づいて、空調機器１０の異常の有無を判定している。そのため、空調機器１０の異常の有無を精度よく判定することが可能である。また、ユーザは、表示部１４０に表示された判定結果を見て、空調機器１０の異常の有無を知ることができる。そのため、本実施形態の判定支援装置１００によれば、空調機器１０の異常の有無を精度よく判定することを支援することができる。
【００５５】
（第２実施形態）
以下、第２実施形態に係る判定支援システム１について図面を参照しながら説明する。なお、上記第１実施形態の判定支援装置１００と共通する構成要素については同一の符号を付する。また、判定支援システム１によって判定される空調機器は、上記第１実施形態と同様に空調機器１０とする。
【００５６】
図６に示すように、判定支援システム１は、赤外線画像を取得して判定結果（空調機器１０の異常の有無など）を表示する判定支援装置２００と、冷暖風解析及び機器状態判定を行うサーバ３００と、を備える。
【００５７】
判定支援装置２００は、例えばユーザ（保守作業者）が携帯可能な通信機能を有する小型の端末装置（スマートフォン）である。サーバ３００は、判定支援装置２００と通信を行って冷暖風解析及び機器状態判定の処理を行う装置であり、空調機器が設置されている保守現場から離れた場所に配置される。
【００５８】
判定支援装置２００は、赤外線画像を取得する赤外線画像取得部１１０と、他の装置と通信を行う通信部２２０と、ユーザのデータ入力や撮像スイッチ操作等を受け付ける入力部１３０と、画像データ等を表示する表示部１４０と、判定支援装置２００全体の動作を制御する制御部２５０と、各種データ及びプログラム等を記憶する記憶部２６０と、を備える。これらの構成部は、バス２７０を介して相互に接続される。
【００５９】
通信部２２０は、上記第１実施形態の通信部１２０と同様に構成され、無線ＬＡＮ（Local Area Network）を介して他の装置（サーバ３００や判定対象の空調機器１０）と通信を行う。通信部２２０は通信手段として機能する。
【００６０】
制御部２５０は、ＣＰＵ（Central Processing Unit）、ＲＯＭ（Read Only Memory）、ＲＡＭ（Random Access Memory）等を含むプロセッサから構成される。また、制御部２５０は、第１実施形態の制御部１５０と同様に表示制御部１５４を備える。制御部２５０は、判定支援装置２００全体の動作を制御する。表示制御部１５４は表示制御手段として機能する。
【００６１】
記憶部２６０は、フラッシュメモリ等の読み書き可能な不揮発性の半導体メモリやハードディスクドライブ等から構成される。記憶部２６０は、例えば、通信部２２０の送受信データ、目標情報１６３等の各種データや判定支援装置２００の各部の動作状態を制御するためのプログラム２６４等を記憶する。
【００６２】
サーバ３００は、サーバ３００全体の動作を制御する制御部３１０と、各種データ及びプログラム等を記憶する記憶部３２０と、ユーザ（サーバ管理者）のデータ入力を受け付ける入力部３３０と、他の装置と通信を行う通信部３４０と、画像データ等を表示する表示部３５０と、を備える。これらの構成部は、バス３６０を介して相互に接続される。
【００６３】
制御部３１０は、ＣＰＵ（Central Processing Unit）、ＲＯＭ（Read Only Memory）、ＲＡＭ（Random Access Memory）等を含むプロセッサから構成される。制御部３１０は、サーバ３００全体の動作を制御する。
【００６４】
記憶部３２０は、フラッシュメモリ等の読み書き可能な不揮発性の半導体メモリやハードディスクドライブ等から構成される。記憶部３２０は、例えば、冷暖風解析結果３２１、機器状態判定結果３２２、通信部３４０の送受信データ等の各種データや判定支援装置２００の各部の動作状態を制御するためのプログラム３２３等を記憶する。
【００６５】
入力部３３０は、例えば、キーボード、マウス、又はタッチパネル等を含んで構成される。入力部３３０は、ユーザ（サーバ管理者）のデータ入力や各種操作を受け付ける。
【００６６】
通信部３４０は、例えば、通信アンテナ、ＲＦ（Radio Frequency）回路、及びベースバンド（Base Band)回路等を含んで構成される。通信部３４０は、ＷＡＮ（World Area Network）を介して他の装置（例えば判定支援装置２００）と通信を行う。
【００６７】
表示部３５０は、例えば、ＬＣＤ（Liquid Crystal Display）、ＥＬ（Electroluminescence）ディスプレイ、又はＰＤＰ（Plasma Display Panel）等によって構成される。表示部３５０は、入力された画像データに応じて画像を表示する。
【００６８】
ここで、制御部３１０の機能的な構成について詳細に説明する。制御部３１０は、冷暖風の解析をする冷暖風解析部３１１と、空調機器１０の異常の有無を判定する機器状態判定部３１２と、を備える。これらの構成部の機能は、制御部３１０のＣＰＵ等が、記憶部３２０に記憶されているプログラム３２３を実行することで実現される。
【００６９】
冷暖風解析部３１１は、通信部３４０の受信データに基づいて冷暖風の温度、風力及び風向を導出する。この受信データは、判定支援装置２００から受信した赤外線画像のデータである。なお、この具体的な導出方法は、上記第１実施形態で述べたものと同様な方法である。ただし、赤外線画像を表示部３５０に表示させることはせず、赤外線画像のデータに基づく内部演算で判定する。
【００７０】
機器状態判定部３１２は、冷暖風解析部３１１によって導出された冷暖風の温度、風力及び風向と、通信部３４０が判定支援装置２００から受信した目標情報に含まれる目標温度、目標風力及び目標風向と、を対比して両者の偏差を導出する。機器状態判定部３１２は、導出した偏差に基づいて、空調機器１０の異常の有無を判定する。なお、具体的な判定方法は、上記第１実施形態で述べたものと同様である。
【００７１】
次に、以上説明した判定支援システム１の機器状態判定処理について、図７を参照しながら説明する。この処理は、ユーザが空調機器１０を直接操作して運転状態を設定し、その設定した目標情報を判定支援装置２００に入力部１３０を介して入力して、記憶部２６０に目標情報１６３として記憶させてから行うものである。
【００７２】
この処理は、ユーザが空調機器１０の吹出口を含む領域に判定支援装置２００の赤外線画像取得部１１０を向けて、入力部１３０において撮像スイッチを押したことを契機に開始する。
【００７３】
まず、判定支援装置２００の赤外線画像取得部１１０は、空調機器１０の吹出口を含む領域を撮像し、その撮像された領域から放射される赤外線の放射量の分布から二次元座標空間の赤外線画像を取得する（ステップＳ３０１）。この際、判定支援装置２００の表示制御部１５４は、取得された赤外線画像を表示部１４０に表示させる。ユーザは、表示部１４０に表示された赤外線画像を見て、撮像が正常に出来たかどうかを確認できる。また、ユーザは、表示された赤外線画像から、撮像された領域の温度分布を認識することができる。
【００７４】
次に、判定支援装置２００の制御部２５０は、取得した赤外線画像のデータ及び目標情報を、通信部２２０を介してサーバ３００に送信する（ステップＳ３０２）。なお、ここでいう目標情報は、本処理の前段で設定され、記憶部２６０に記憶されている目標情報１６３である。
【００７５】
サーバ３００の通信部３４０は、判定支援装置２００から送信された赤外線画像のデータ及び目標情報を受信する（ステップＳ３０３）。サーバ３００の冷暖風解析部３１１は、上述した冷暖風解析方法によって、赤外線画像から冷暖風解析結果を導出する（ステップＳ３０４）。この際、サーバ３００の制御部３１０は、冷暖風解析結果を冷暖風解析結果３２１として記憶部３２０に記憶する。
【００７６】
次に、サーバ３００の機器状態判定部３１２は、受信した目標情報に含まれる目標温度、目標風力及び目標風向と、赤外線画像から導出した温度、風力及び風向と、の偏差を導出する（ステップＳ３０５）。具体的な導出方法は上述の通りである。
【００７７】
サーバ３００の機器状態判定部３１２は、導出した偏差が上述した基準に基づく許容範囲を逸脱するパラメータ（すなわち温度、風力、風向のいずれか一つ以上）があるかどうかを判別する（ステップＳ３０６）。
【００７８】
その結果、許容範囲を逸脱するパラメータがある場合（ステップＳ３０６；Ｙｅｓ）、サーバ３００の機器状態判定部３１２は、空調機器１０の運転状態を「異常」と判定する（ステップＳ３０７）。この場合、サーバ３００の機器状態判定部３１２は、許容範囲を逸脱したパラメータが何であるかに基づいて異常種別も併せて判定する。
【００７９】
一方、許容範囲を逸脱するパラメータがない場合（ステップＳ３０６；Ｎｏ）、サーバ３００の機器状態判定部３１２は、空調機器１０の運転状態を「正常」と判定する（ステップＳ３０８）。この場合、サーバ３００の機器状態判定部３１２は、異常種別を「なし」と判定する。
【００８０】
サーバ３００の制御部３１０は、機器状態判定結果を機器状態判定結果３２２として記憶部３２０に記憶させるとともに、通信部３４０を介して機器状態判定結果を判定支援装置２００に送信する（ステップＳ３０９）。判定支援装置２００の通信部２２０は、サーバ３００から送信された機器状態判定結果を受信する（ステップＳ３１０）。判定支援装置２００の表示制御部１５４は、受信した機器状態判定結果（異常の有無など）を表示部１４０に表示させる（ステップＳ３１１）。
【００８１】
以上説明したように、本実施形態の判定支援システム１は、冷暖風解析及び機器状態判定を判定支援装置２００ではなく、サーバ３００で実行する。そのため、判定支援装置２００を必要最低限の簡易な構成にすることができる。
【００８２】
また、本実施形態では、理解の容易のために判定支援装置２００を１台だけにして説明した。しかし、サーバ３００が、複数台からなる判定支援装置２００の各々と通信を行うように構成すれば、複数台の判定支援装置２００から受信した赤外線画像のデータ及びその判定結果等を集中管理することができる。
【００８３】
なお、本発明は上記実施形態に限定されず、種々の変形及び応用が可能である。また、上記実施形態及び以下の変形例は、特に明示する場合を除き、任意に組み合わせ可能である。以下、変形例の説明を行う。
【００８４】
（変形例）
上記実施形態において、判定支援装置１００，２００は、ユーザ（保守作業者）が携帯可能な通信機能を有する小型の端末装置（スマートフォン）としている。
【００８５】
しかし、判定支援装置１００，２００は、空調機器１０のリモコンであってもよい。その場合、判定支援装置１００，２００と空調機器１０の間の通信は、リモコンと空調機器１０の間の空調通信ネットワークを使用して通信を行うことができる。この空調通信ネットワークは有線であってもよいし無線であってもよい。また、判定支援装置１００，２００と空調機器１０の間の通信は、赤外線を使用した通信であってもよい。
【００８６】
また、上記第１実施形態において、判定支援装置１００と空調機器１０の間の通信は、無線ＬＡＮを介している。しかし、無線ＬＡＮではなく有線ＬＡＮであってもよいし、ＬＡＮではなくＷＡＮ（World Area Network）を経由してもよい。
【００８７】
上記実施形態では、例えば図２のように、赤外線画像をモノクロ画像としている。しかし、本発明の赤外線画像はモノクロ画像に限らず、カラー画像（サーモグラフィー）であってもよい。一般的には、赤外線画像はモノクロ画像であり、熱画像（サーモグラフィー）はカラー画像であるとして、両者が区別されることがある。しかし、熱画像は、人が視覚的に把握しやすいように赤外線画像に着色加工を施した画像である。すなわち、熱画像も元々は赤外線画像である。そのため、上記説明において「赤外線画像」という用語には、熱画像も含まれるものとする。
【００８８】
上記実施形態において、表示部１４０を例えば出力用端子に置き換えて、その出力用端子に接続された表示装置に各種画像を表示させるようにしてもよい。また、表示部１４０や表示装置に各種画像を表示させるのではなく、音声出力や光出力等を出力する出力部を備えてもよい。
【００８９】
この出力部は、例えば入力されたデータに基づいて、音声を再生したり、又はＬＥＤ（Light Emitting Diode）等の光源を点滅させたりするように構成する。例えば、上記実施形態の制御部１５０，２５０が出力部に音声を再生させる場合、判定結果が正常の場合と異常の場合とで異なるビープ音を再生させる。光源は、例えば正常の場合に点灯し、異常の場合に点滅することで区別可能なＬＥＤ表示などを行う。これにより、ユーザが異常の有無を識別することができる。
【００９０】
上記実施形態において、空調機器１０の異常の有無は、図３のように、異常を示すパラメータ（温度、風力、風向など）が一つでもあれば異常と判定され、判定結果として総合的な判定結果のみを表示させている。しかし、本発明はこれに限られず、制御部１５０，３１０がパラメータ毎（計測項目毎）に異常の有無を判定し、判定支援装置１００，２００の表示部１４０に表示させてもよい。例えば、図８のように、目標温度が２６℃に対して計測温度が２８℃であり、目標風向が上向きであるのに対して計測風向が下向きである場合、計測温度及び計測風向に異常があることを機器状態判定結果に表示させてもよい。
【００９１】
また、上記実施形態において、判定支援装置１００，２００は、図３及び図８のように、表示部１４０に、判定結果が正常であっても異常であっても、その判定結果を表示させている。しかし、本発明はこのような構成に限られない。例えば、判定支援装置１００，２００は、表示部１４０又は出力部が、判定結果に異常がない場合のみ又は異常がある場合のみ判定結果を表示又は出力するように構成されてもよい。
【００９２】
上記実施形態において、冷暖風解析及び機器状態判定は、例えば図２に示すような赤外線画像取得部１１０によって赤外線画像（静止画像）１枚分を取得して、その赤外線画像に基づいて行われている。
【００９３】
しかし、冷暖風解析及び機器状態判定は、定期的又は連続的に取得された赤外線画像の時間的推移（動画又はスライド）に基づいて実行されてもよい。例えば、目標温度と赤外線画像から導出した温度との偏差が、時間経過につれて小さくなっていくかどうかを異常の有無の判断基準にしてもよい。また、空調機器に風向を時間的に変化させる風向制御（スイング）を含む運転をさせている場合に、赤外線画像から導出した風向が風向制御に追従しているかどうかを異常の有無の判断基準にしてもよい。この場合、赤外線画像の静止画像１枚分に基づいて判定する場合に比べて判定精度を高めることができる。また、赤外線画像の静止画像１枚分に基づいて判定する場合に比べて計測項目（例えば風向制御）を増やすことができる。
【００９４】
上記実施形態において、空調機器１０への目標情報の設定は、ユーザがデータ入力又は操作することによって行われている。しかし、判定支援装置１００，２００の記憶部１６０，２６０に空調機器１０に設定するための目標情報を予め記憶させ、制御部１５０，２５０がプログラム１６４，２６４を実行することにより、空調機器１０に、その目標情報に基づく運転状態（試運転モード）の自動設定をするようにしてもよい。
【００９５】
上記実施形態では、制御信号に含まれる情報が冷房運転を選択させる場合について説明した。しかし、制御信号は、冷房運転だけでなく暖房運転、送風運転及び運転停止のいずれかの運転モードを選択させる情報を含むように構成されてもよい。
【００９６】
また、この自動設定は、複数の運転状態に相当する目標情報を、プログラム１６４，２６４のスケジュール処理によって運転モードや設定温度等を自動切替するように設定するものであってもよい。自動切替は、ユーザによってスケジュール設定された設定時間経過毎に行われる。この場合、複数の運転状態における機器状態判定を自動で行うことができる。
【００９７】
本発明に係る判定支援装置１００，２００の動作を規定する動作プログラムを既存のパーソナルコンピュータや情報端末装置に適用することで、当該パーソナルコンピュータ等を本発明に係る判定支援装置１００，２００として機能させることも可能である。
【００９８】
また、このようなプログラムの配布方法は任意であり、例えば、ＣＤ−ＲＯＭ（Compact Disk-Read Only Memory)、ＤＶＤ（Digital Versatile Disk）、メモリカードなどのコンピュータ読み取り可能な記録媒体に格納して配布してもよいし、インターネットなどの通信ネットワークを介して配布してもよい。
【００９９】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【０１００】
本発明は、空調機器の異常の有無を精度よく判定することを支援するための判定支援装置、判定支援方法及びプログラムに採用されうる。
【符号の説明】
【０１０１】
１  判定支援システム、１０  空調機器、１００，２００  判定支援装置、３００  サーバ、１１０  赤外線画像取得部、１２０，２２０  通信部、１３０  入力部、１４０  表示部、１５０，２５０，３１０  制御部、１６０，２６０  記憶部、１５１，３１１  冷暖風解析部、１５２，３１２  機器状態判定部、１５３  制御信号生成部、１５４  表示制御部、１６４，２６４，３２３  プログラム
【図１】
2017017791.tif 000003
【図２】
2017017791.tif 000004
【図３】
2017017791.tif 000005
【図４】
2017017791.tif 000006
【図５】
2017017791.tif 000007
【図６】
2017017791.tif 000008
【図７】
2017017791.tif 000009
【図８】
2017017791.tif 000010
【手続補正書】
【提出日】平成29年5月1日(2017.5.1)
【手続補正１】
【補正対象書類名】明細書
【補正対象項目名】００１０
【補正方法】変更
【補正の内容】
【００１０】
上記目的を達成するため、本発明に係る判定支援装置は、
空調機器の吹出口を含む領域を撮像して赤外線画像を取得する赤外線画像取得手段と、
前記赤外線画像と、前記赤外線画像から冷暖風の温度及び風力を導出することにより判定された前記空調機器の異常の有無と、を表示装置に表示させる表示制御手段と、
を備える。
【手続補正２】
【補正対象書類名】特許請求の範囲
【補正対象項目名】全文
【補正方法】変更
【補正の内容】
【特許請求の範囲】
【請求項１】
空調機器の吹出口を含む領域を撮像して赤外線画像を取得する赤外線画像取得手段と、
前記赤外線画像と、前記赤外線画像から冷暖風の温度及び風力を導出することにより判定された前記空調機器の異常の有無と、を表示装置に表示させる表示制御手段と、
を備える、判定支援装置。
【請求項２】
空調機器の吹出口を含む領域を撮像して赤外線画像を取得する赤外線画像取得手段と、
前記赤外線画像と、前記赤外線画像から判定された前記空調機器の異常の有無と、を表示装置に表示させる表示制御手段と、
前記空調機器を前記異常の有無を判定するための運転状態に設定させるための情報である目標情報を含む制御信号を該空調機器に送信する通信手段と、
を備える、判定支援装置。
【請求項３】
前記赤外線画像から前記空調機器の異常の有無を判定する機器状態判定手段を、さらに備える、請求項１又は２に記載の判定支援装置。
【請求項４】
前記赤外線画像のデータを他の装置へ送信し、前記他の装置が前記空調機器の異常の有無を判定した判定結果を、前記他の装置から受信する通信手段を、さらに備える、請求項１又は２に記載の判定支援装置。
【請求項５】
前記空調機器の異常の有無は、定期的又は連続的に取得された前記赤外線画像の時間的推移に基づいて判定される、請求項１から４のいずれか１項に記載の判定支援装置。
【請求項６】
空調機器の吹出口を含む領域を撮像する撮像ステップと、
前記撮像ステップによって生成された赤外線画像と、前記赤外線画像から冷暖風の温度及び風力を導出することにより判定された前記空調機器の異常の有無と、を表示装置に表示させる表示制御ステップと、
を備える、判定支援方法。
【請求項７】
コンピュータを、
空調機器の吹出口を含む領域を撮像して赤外線画像を取得する赤外線画像取得手段、
前記赤外線画像と、前記赤外線画像から冷暖風の温度及び風力を導出することにより判定された前記空調機器の異常の有無と、を表示装置に表示させる表示制御手段、
として機能させる、プログラム。
【国際調査報告】
2017017791.tif 000011
2017017791.tif 000012
2017017791.tif 000013
2017017791.tif 000014